(57)【要約】手持ちのシェイク容器であって、ストローに接続された攪拌器を含み、粉末と液体の混合、又は異なる粘度の液体の混合のために使用される。
2015500186.tif 000002
【特許請求の範囲】
【請求項１】
シェイク容器であって、
閉じられた底部を有する容器と、
当該容器に取り外し可能に接続された蓋と、
一端において当該蓋に着脱自在に接続されるストローであって、反対側の端部に当該ストローの中空部へのアクセスを与える開口端部を備えるフランジを有し、当該蓋から容器の底部に近い領域にまで垂直に延びるが当該底部には接続されていないストローと、を備え、
当該ストローに摺動可能に接続される攪拌器であって、当該攪拌器と当該ストローの間の相互関係は、当該攪拌器が当該ストローの上部から当該フランジにまで長手方向に移動可能であるようにされていることを特徴とするシェイク容器。
【請求項２】
当該蓋は、当該蓋における第一の開口を形成する跳上げストロー及び当該蓋における第二の開口を覆う蓋カバーをさらに備えることを特徴とする請求項１に記載のシェイク容器。
【請求項３】
前記ストローは、当該跳上げストローが開位置にあるときに、当該フランジの開口端から当該跳上げストローの上部にまで長手方向に延びる内側ストローチャネルが形成されるように、当該跳上げストローに接続されていることを特徴とする請求項２に記載のシェイク容器。
【請求項４】
当該攪拌器は、砂時計の形をしていることを特徴とする請求項１に記載のシェイク容器。
【請求項５】
当該攪拌器は、以下の赤道直径が極直径よりも大きい楕円形状、三角形状、逆砂時計形、実質的に長方形の形、又は連続ループ形の内の１つを有していることを特徴とする請求項１に記載のシェイク容器。
【請求項６】
当該蓋カバーは、当該蓋における第二の開口に挿入するための一気飲みキャップを含んでいることを特徴とする請求項２に記載のシェイク容器。
【請求項７】
シェイク容器であって、
閉じられた底部を有する容器と、
当該容器に取り外し可能に接続された蓋であって、当該蓋における第一の開口を形成する跳上げストロー及び当該蓋における第二の開口を覆う蓋カバーを有する蓋と、
一端において当該蓋に着脱自在に接続されるストローであって、反対側の端部に当該ストローの中空部へのアクセスを与える開口端部を備えるフランジを有し、当該蓋から容器の底部に近い領域にまで垂直に延びるが当該底部には接続されずに、当該跳上げストローが開位置にあるときに、当該フランジの開口端から当該跳上げストローの上部にまで長手方向に延びる内側ストローチャネルが形成されるように、当該跳上げストローにさらに接続されるストローと、を備え、
当該ストローに摺動可能に接続される攪拌器であって、当該攪拌器と当該ストローの間の相互関係は、当該攪拌器が当該ストローの上部から当該フランジにまで長手方向に移動可能であるようにされていることを特徴とするシェイク容器。
【請求項８】
当該攪拌器は、砂時計の形をしていることを特徴とする請求項７に記載のシェイク容器。
【請求項９】
当該攪拌器は、以下の赤道直径が極直径よりも大きい楕円形状、三角形状、逆砂時計形、実質的に長方形の形、又は連続ループ形の内の１つを有していることを特徴とする請求項７に記載のシェイク容器。
【請求項１０】
当該蓋カバーは、当該蓋における第二の開口に挿入するための一気飲みキャップを含んでいることを特徴とする請求項７に記載のシェイク容器。
【請求項１１】
シェイク容器であって、
閉じられた底部を有する容器と、
当該容器に取り外し可能に接続された蓋と、
一端において当該蓋に着脱自在に接続されるストローであって、反対側の端部に当該ストローの中空部へのアクセスを与える開口端部を備えるフランジを有し、当該蓋から容器の底部に近い領域にまで垂直に延びるが当該底部には接続されていないストローと、
当該ストローに接続された攪拌器であって、当該攪拌器と当該ストローの間の相互関係は、当該攪拌器が当該ストローの恒久的な位置に固定されている攪拌器と、を備えることを特徴とするシェイク容器。
【発明の詳細な説明】
【技術分野】
【０００１】
本出願は、２０１１年１０月２７日に出願された攪拌器を備えたシェイク容器という名称の米国仮出願番号６１/５２２，３０８号及び２０１２年１０月２６日に出願された攪拌器を備えたシェイク容器という名称の米国特許出願第１３/６６２,１６９号の優先権を主張している。
【０００２】
この開示は、完全に囲まれた手持ちのシェイク容器内で、粉末と液体又は異なる粘度の液体を混合するために使用される攪拌器に関する。
【背景技術】
【０００３】
液体と粉末を混合する、又は異なる粘度及び/又は密度の液体を混合する基本的な必要性がある。いくつかのケースでは、攪拌器は、エアロゾル塗料（典型的には、使用後に廃棄される非着脱性の攪拌装置付の密封されたアルミニウム又は金属容器）におけるように、使用前に製品をより大きく均質化するために使用される。食用消費のための製品の混合のための一般的かつ定期的な必要性もある。かかる混合を必要としている消耗品は、粉ミルク、栄養及び栄養補助食品、粉末と液体風味のドリンクミックス、パンケーキ生地、医薬品などを含んでいる。
【発明の概要】
【発明が解決しようとする課題】
【０００４】
粉末状及び/又は異なる密度の液体は、滑らかで均質な懸濁液に混合することが困難である。成分を完全に混合するための触媒としての攪拌器を使用しないと、粉末を凝集及び浮遊し非混合されない成分という一般的な問題が存する。
【課題を解決するための手段】
【０００５】
本開示は、完全に囲まれた手持ちのシェイク容器内の、粉末と液体、又は異なる粘度の液体を混合するために使用される攪拌器に関する。本装置の実施は、いくつかの実施形態では、ストロー、攪拌器及び蓋を含んでいるシェイク容器に関連して行われる。混合を必要とする成分がシェイク容器内に封入される。いくつかの実施形態では、容器が上下にシェイクされ、蓋の底部とストローの底部におけるフランジにぶつけながら攪拌器が固定されたストローを上下に移動することを生じさせ、より迅速かつ完全に少ない労力で内容物を混合するべく、ばね運動から慣性を増加させている。本明細書に明示的に開示されたもの以外の、蓋、容器及びストローの多くの代替形状や寸法が存在する。加えて、ストローの長さは、それが固定されている容器の寸法に合わせて変えることができる。
【０００６】
本明細書に開示される方法及びプロセスは、液体及び粉末を混合する領域において、又は異なる粘度及び/又は濃度の液体を混合するのに特に有用であることを証明してきたが、当業者は、当該方法及びプロセスは様々な異なる用途において且つ混合生成物を産出する様々な異なる製造の領域において使用できることを理解することができよう。特定の実施形態は、以下の非限定的なリストの混合を含んでいる。すなわち、粉末飲料、電解質ピル、エネルギー飲料、粉ミルク、パンケーキ生地、クレープ、ベーキング材料、サルサ、ソース（オランデーズ、肉汁など）、オイルと酢、サラダドレッシング、スムージー、ジュース、コーヒー、クリーマー/香料、アルコール混合飲料、医療関連物質（ピル、下剤、繊維ドリンクなど）、及び非食用品（塗料、家庭用洗剤など）。
【０００７】
いくつかの実施形態は、互いに関連してストロー及び攪拌器を用いたシステムを含んでいる。特定の実施形態において、ストローはシェイク容器の蓋に固定され、フランジ付き基部を有している。いくつかの実施形態では、攪拌器は、ストローに接続されている。これは、より大きなピースの一部として攪拌器を保持し、独立した部品の数を低下させる。自由で解き放たれた攪拌器による共通の問題は、彼らが食器洗い機用トレイを通って洗浄機構に落下する傾向、及び喪失される彼らの傾向である。
【０００８】
様々な実施形態において、攪拌器の形状及び構成は大きく変化してもよい（潜在的な攪拌器形状及び構成の部分表示については図２２参照）。攪拌器は、プラスチック、金属、又は他の任意の材料で構築することができる。特定の実施形態において、攪拌器装置のデザインは砂時計形状のものであり、この形状を生成するようにコイル巻きされた金属線で構成されている。いくつかの実施形態では、金属コイルの構造は、結合を防ぐようなストローとのいくつかの密な接触点を生成するが、内容物を混合するために容器をシェイクするときは、自由に流れるように十分に緩い。
【０００９】
特定の実施形態では、攪拌器は、内容物の均一な混合物を生成するのを助けるためにストローを自由に上下に動く。いくつかの実施形態は、容器をシェイクしたときに生じる慣性を拡大するばね作用を生成する攪拌器のコイル状のデザインを特徴とし、容器の内容物を完全に混合するのに必要な労力を軽減し、必要な時間を低下させるべく働く。ストローは、ストローの長さに沿っての攪拌器の自由な動きを可能にするのに十分な剛性を維持する、任意の材料で構成することができる。いくつかの実施形態では、攪拌器は、ストローの長さ全体に沿って移動する。他の実施形態では、攪拌器は、ストローの全長未満に沿って移動する。いくつかの実施形態では、ストローの本体は直線状である。他の実施形態では、ストローの本体は、直線ではなく、攪拌器が容器のシェイクに応じてストローの長さに沿って移動することを可能にしている。
【００１０】
特定の実施形態では、ストローは容器の蓋にしっかりと固定され、水/気密シールを形成している。一部の実施形態では、このシールは、圧入接続によって生成することができる。他の実施形態では、このシールは、ねじ嵌合接続によって生成することができる。いくつかの実施形態では、ストローの底部は、フランジ付き端部を有している。特定の実施形態では、当該フランジが、ボトルがシェイクされたときに攪拌器が跳ぶ又は跳ねるための拠点としての役割を果たし、加えて、攪拌器がストローから落ち、解き放たれた独立した片になることから守るのに役立つ。いくつかの実施形態では、当該フランジは、容器の基部に触れている。他の実施形態では、当該フランジは容器の底部に接触しない。
【００１１】
いくつかの実施形態において、ストローは、プラスチック製である。特定の実施形態では、蓋はプラスチック材料から構成され、一緒になって、当該蓋とストローが水及び気密シールを生成するべく機能する。いくつかの実施形態では、ストロー及び蓋は分離することができる。しかしながら、他の実施形態では、ストロー及び蓋は一つの一体部品を形成している。
【００１２】
いくつかの実施形態では、蓋の構造は、閉じられたときに、ボトル内の内容物を密封するべく作用する又は開かれたときに、吸引や注出を通してボトルの内容物へのアクセスを可能にする共通の跳上げ装置を有するようなものである。特定の実施形態では、蓋のストロー取付体が閉じられたとき、それはボトルの内容物へのアクセスをブロックするための共通の弁として機能し、こぼすことのない撹拌を可能にする。いくつかの実施形態では、ストローが開位置にあるとき、シェイク容器の内容物をボトルから吸引することができる。特定の実施形態では、如何なるこぼれをも防止し、又は消費時に吸引効率を低下させる水及び気密シールを生成するために、一般的なシリコーングロメットが使用されている。
【００１３】
いくつかの実施形態は、蓋上に第二の開口部を含んでいる。特定の実施形態では、この第二の開口部は、ストローの開口すなわち中空部分よりも大きい。いくつかの実施形態では、この第二の開口部は、一般的な跳上げトップあるいは一気飲みキャップによって覆われ、すなわち、閉じられ、閉じられたときに水及び気密シールを生成するが、開かれたときには、「一気飲み」やボトルの内容物のより急速な消費を可能にしている。
【００１４】
いくつかの実施形態では、蓋/ストローの組み合わせは、圧入又はねじを介してボトルに固定され、そしてボトルの基部との水及び気密シールを生成するためにシリコーンワッシャを利用している。
【００１５】
本発明のこれらの及び他の特徴及び利点は、以下に続く説明において記載され、又は、より完全に明らかになるであろう。特徴及び利点はまた、以下の説明で特に指摘された器具及び組合せによって理解されかつ得ることができる。さらに、本発明の特徴及び利点は、本発明の実施によって知ることができるか、以下に述べるように、説明から明らかであろう。
【図面の簡単な説明】
【００１６】
本発明の上記及び他の特徴及び利点が得られるようにするために、本発明のより詳細な説明が、添付の図面に示されるその具体的な実施形態を参照することによってなされる。図面は本発明の典型的な実施形態のみを示し、したがって、本発明の範囲を限定するものと見なされるべきではないことと理解して、本発明が、添付の図面の使用を通じてさらに具体的かつ詳細に記載且つ説明される。
【図１】攪拌器及びストローを備える代表的なシェイク容器を示す図である。
【図２】攪拌器及びストローを備える代表的なシェイク容器を示す図である。
【図３】攪拌器及びストローを備える代表的なシェイク容器の斜視図を示す図である。
【図４】攪拌器及びストローを備える代表的なシェイク容器を示す図である。
【図５】攪拌器及びストローを備える代表的なシェイク容器を示す図である。
【図６】代表的な蓋の上面図を示している。
【図７】基部の底面図を示している。
【図８】攪拌器及びストローを備える代表的なシェイク容器を示す図である。
【図９Ａ】閉位置にある跳上げストローを有する蓋と蓋カバーの実施形態の上面図である。
【図９Ｂ】閉位置にある跳上げストローと蓋カバーとを示している蓋の実施形態の側面図である。
【図１０】蓋及び第二の開口と閉位置にある跳上げから取外されときの、蓋カバーを示している。
【図１１】跳上げストローが開位置にあるシェイク容器の正面図を示している。
【図１２】跳上げストローが開位置にあるシェイク容器の背面図を示している。
【図１３】蓋カバーが開位置にあり、跳上げストローも開位置にあるシェイク容器の側面図を示している。
【図１４】蓋カバーが開位置にあり、跳上げストローも開位置にあるシェイク容器の側面図を示している。
【図１５】開位置にある蓋を示している。
【図１６】開いた位置にあるとき、基部の下面側と蓋の上面側を示している。
【図１７】代表的なストロー及び攪拌器の破断図を示している。
【図１８Ａ】取り外し可能なストローと蓋と共に代表敵名攪拌器を示している。
【図１８Ｂ】ストローの底部及びフランジの拡大斜視図である。
【図１８Ｃ】シェイク容器の破断図を示している。
【図１９】跳上げストローが閉位置にある状態の、蓋の一実施形態を示す図である。
【図２０】跳上げストローが開位置にある状態の、蓋の一実施形態を示す図である。
【図２１】第二の開口部と一気飲みキャップを備える蓋の例示的な実施形態を示す図である。
【図２２】攪拌器の種々の実施形態を示している。
【図２３】シェイク容器の選択的部分を示している。
【図２４】シェイク容器の選択的部分を示している。
【図２５】格子の種々の形状の実施形態を示している。
【図２６】ストローが通るメッシュスクリーンを示している。
【図２７】シェイク容器の斜視図を示している。
【発明を実施するための形態】
【００１７】
図１は、少なくとも一つの実施形態による例示的なシェイク容器１０を示している。いくつかの実施形態では、シェイク容器１０は、ストロー１２、攪拌器１４、及び蓋１６を含んでいる。特定の実施形態において、ストロー１２は、ストロー１２の底部２０に位置されたフランジ１８及びストロー１２の頂部２４に位置されたねじ部２２（図示せず）を含んでいる。
【００１８】
いくつかの実施形態では、攪拌器１４は、砂時計を生成するように卷回され金属線で構成された砂時計形状のものである。特定の実施形態では、攪拌器１４は、シェイク容器１０がシェイクされるとき、攪拌器１４がストロー１２を上下に自由に移動するのを許容する、ストロー１２との接続を創成するストロー１２とのいくつかの接触点を創成している。いくつかの実施形態では、フランジ１８がシェイク容器１０の基部２５に接している。他の実施形態では、フランジ１８はシェイク容器１０の基部２５に接触しない。
【００１９】
図１はまた、シェイク容器１０が閉位置にある跳上げストロー５０を有している、シェイク容器１０の図を示している。加えて、図１は、閉位置にある蓋カバー６０を示している。
【００２０】
図２は、図１の裏面側からの例示的なシェイク容器１０を示している。特に、図２は、図１に示されるのと反対側の観点から蓋体１６を示している。この図では、跳上げストロー５０は、それが閉位置にあるので、表示され得ない。
【００２１】
図３は、斜視図において例示のシェイク容器１０を示している。この図から、攪拌器１４は、それらが圧縮される前に、攪拌器１４のワイヤー１５の分離部が見られる砂時計の形で示されている。この実施形態においては、攪拌器１４がストロー１２の底部に向かって位置されている。図３はまた、閉位置にある跳上げストロー５０及び閉位置にある蓋カバー６０を示している。蓋カバー６０のこの実施形態では、蓋カバー６０はリップ６１を有している。いくつかの実施形態では、リップ６１は、ユーザが蓋カバー６０を開けるのを補助するために、彼又は彼女の手を置くことができるハンドルないしはグリップ装置として機能する。
【００２２】
図４は、蓋カバー６０のリップ６１がシェイク容器１０の左側にある側面からシェイク容器１０を示している。この実施形態はまた、フランジ１８がシェイク容器１０の基部２５に接触していないことを示している。同様に、図５は、蓋カバー６０のリップ６１がシェイク容器１０の右側にあるシェイク容器１０の裏面を示している。
【００２３】
図６は、閉位置にある跳上げストロー５０と閉位置にある蓋カバー６０とを示している蓋６０の実施形態の上面図である。
【００２４】
図７は、基部２５の底面図を示すシェイク容器１０の実施形態の底面図を示している。
【００２５】
図８は、底面斜視方向からのシェイク容器１０の実施形態を示している。この図から、基部２５の底部側だけでなく、ワイヤー１５の間のスペースを見ることができる攪拌器１４の底面側を見ることができる。加えて、図８は、一気飲みキャップ５８が第二の開口に挿入されたとき、且つ蓋カバー６０が閉位置にある場合の一気飲みキャップ５８の底部側を含んで見ることができる、第二の開口部５６の下面側も見られる蓋体１６の下面側を示している。加えて、図８は、閉位置にある跳上げストロー５０の下面側を示している。この実施形態では、シェイク容器１０の内容物は、それが液体であるかそうでなくても、安全で、ユーザが内容物をこぼすことなく、自由にかつ積極的に例示的なシェイク容器１０をシェイクすることを許容する。
【００２６】
図９Ａは、閉位置にある跳上げストロー５０と蓋カバー６０を示している蓋体１６の実施形態の上面図である。図９Ｂは、閉位置にある跳上げストロー５０と蓋カバー６０を示している蓋体１６の実施形態の側面図である。
【００２７】
図１０は、蓋１６から取外されたときの蓋カバー６０を示す実施形態である。図１０はまた、第二の開口５６と閉位置にある跳上げストロー５０を示している。
【００２８】
図１１は、跳上げストロー５０が開位置にある場合で且つ蓋カバー６０が装着されていない場合のシェイク容器１０の正面図を示している。図１２は、跳上げストロー５０が加えて、開位置にある場合で図１１に示されたものの裏面を示している。
【００２９】
図１３は、蓋カバー６０が開位置にあり、跳上げストロー５０も加えて、開位置にある場合のシェイク容器１０の側面図を示している。この図から、一気飲みキャップ５８を見ることができる。図１４は、図１３の裏面図を示し、同様に、開位置にある跳上げストロー５０及び開位置にある蓋カバー６０のみならず一気飲みキャップ５８をも示している。
【００３０】
図１５は、開位置にある蓋１６を示している。図１５はまた、第二の開口５６の上面図と一気飲みキャップ５８の底面図を示している。加えて、図１５は開位置にある跳上げストロー５０と内側のストローチャネル５４を示している。図１６は、基部２５の下面側を示しており、そして蓋カバー６０が開位置にある場合の蓋カバー６０の上面側を示している。
【００３１】
図１７は、攪拌器１４が、ストロー１２との第一の接触点２６、第二の接触点２８及び第３の接触点３０を有する場合に、ストロー１２の破断図との関連で、攪拌器１４の実施形態を示している。特定の実施形態では、三つの接触点は、攪拌器がストロー１２にしっかりと固定されることなく、ストロー１２の周囲に緊密に巻回されることを可能にする。この図１７に示されているデザインは、攪拌器１４がストロー１２に結合することから守るのに役立つが、それは中身の均一な混合物を生成することを支援するために、ストロー１２を自由に上下に移動することを許容している。加えて、図１７に示すような、攪拌器１４のコイル状の設計は、シェイク容器１０をシェイクするときに生成される慣性を拡大するばね作用を生じさせ、必要な労力を軽減し、そして、シェイク容器１０の内容物を完全に混合するのに必要な時間を低下させるために働く。
【００３２】
図１８Ａは、シェイク容器１０がシェイクされたことにより、攪拌器１４がストロー１２を上下に移動するときの様々な実施形態を示している。例えば、この実施形態では、図１８Ａは、攪拌器１４がストロー１２の底部近傍でフランジ１８の近傍に位置されたときに、圧縮された位置３２にある攪拌器１４を示している。この実施形態において、フランジ１８のフレア形状は、シェイク容器１０がシェイクされるときに跳ね返すために攪拌器１４のベースとして機能し、そして加えて、攪拌器がストローから落ちて解き放たれた独立した一片となることから守っている。
【００３３】
図１８Ａはまた、拡張された位置３４における攪拌器１４を示している。特定の実施形態では、攪拌器１４が蓋１６の近傍又はそれに触れるストロー１２の頂部に到達したとき、攪拌器１４は、圧縮された位置３２へ行く。
【００３４】
図１８Ａはまた、種々の実施形態において、ストロー１２は蓋体１６に固定されて、水密及び気密シールを形成していることを示している。特定の実施形態では、このシールは、圧入接続によって生成される。他の実施形態では、ストロー１２と蓋１６との間のこのシールは、ねじ嵌合接続によって生成される。いくつかの実施形態において、ストローは、ストローコネクタ３６を介して蓋体１６に接続されている。
【００３５】
いくつかの実施形態では、ストロー１２は、シェイク容器１０をシェイクする歪みの下でその形状を保持するのに十分に剛性であり、容易に洗浄可能で食器洗い機に安全であり、及び摂取可能物と共に使用されるのに十分に衛生的な任意の材料で構成することができる。特定の実施形態では、ストロー１２はプラスチック製である。
【００３６】
いくつかの実施形態では、ストロー１２と蓋１６は、図１８Ａに示すように、分離することができる。他の実施形態では、ストロー１２と蓋１６は、シェイク容器１０の単一部品を形成し、分離することができない。
【００３７】
図１８Ｂは、ストロー１２の底部とフランジ１８の拡大斜視図を示している。
【００３８】
図１８Ｃは、ストロー１２の基部の近くに示されているリング１９を備えるストロー１２を示すシェイク容器１０の破断図を示している。いくつかの実施形態では、リング１９は攪拌器１４がストロー１２の端部から脱落することから守るのを助けるべく機能する。図１８Cはまた、ストロー１２とリング１９がシェイク容器１０の基部２５に触れない実施形態を示している。
【００３９】
図１９は、中空部５２を含んでいる跳上げストロー５０を有する蓋１６の実施形態を示し、且つ閉じた位置にある跳上げストロー５０を示している。シェイク容器１０の内容物は、跳上げストロー５０が閉位置にあるときにシェイク容器１０内に封止されている。閉じられたときに、蓋１６の跳上げストロー５０はシェイク容器１０の内容物へのアクセスをブロックするための普通のバルブとして働き、こぼさずに撹拌することを可能にする。
【００４０】
図２０は、開位置にある跳上げストロー５０を示している蓋体１６の典型的な実施形態を示している。この実施形態では、中空部５２が内側のストローチャネル５４に整列され、流体が内側のストロー流路５４と中空部５２を通って流れることを可能にしている。いくつかの実施形態では、ユーザは、跳上げストロー５０が開位置にあるとき、シェイク容器１０の内容物に吸引によってアクセスすることができる。
【００４１】
図２１は、第二の開口部５６と一気飲みキャップ５８を含んでいる実施形態を示している。一気飲みキャップ５８は、第二の開口５６に固定されると、水密や気密シールを生成する。一気飲みキャップ５８が第二開口部５６から取外されると、ユーザは、第二の開口部５６を介して内容物にアクセスすることによって、シェイク容器１０から飲むことができる。いくつかの実施形態では、一気飲みキャップ５８は開いた位置にあっても、蓋体１６に物理的に接続されている。特定の実施形態では、一気飲みキャップ５８は、跳上げトップを介して開くことができる。他の実施形態では、一気飲みキャップ５８は、蓋体１６から完全に取り外し可能である。
【００４２】
図２２は、様々な実施形態において使用される攪拌器１４の実施例を示す。例えば、図２２は、攪拌器３８、４０及び４８として砂時計の形状に成形されている攪拌器の３つの実施例を示している。他の形状としては、赤道直径が極直径よりも大きい楕円形状の攪拌器４２、三角形状の攪拌器４４、逆砂時計形の攪拌器４６、実質的に長方形の形の攪拌器６２、及び連続ループ攪拌器６４を含んでいる。図２２はまた、連続ループ攪拌器６４の破断図を示している。
【００４３】
図２３は、シェイク容器１０の選択的な部分を示している。特に、図２３は、閉位置にある蓋体１６、ストロー１２及び攪拌器１４を示している。この実施形態では、先の実施形態と同様に、攪拌器１４がストロー１２の実質的に全長に沿って移動することができるか、あるいは、攪拌器１４がストロー１２に対して固定された位置のままであってもよい。攪拌器１４が固定位置にとどまる場合には、シェイク容器の内容物は、ユーザがシェイク容器１０をシェイクするときに、攪拌器１４の格子１７を通じて移動する。
【００４４】
図２４は、格子１７が傾斜されている攪拌器１４の代替の実施形態を示す。
【００４５】
図２５は、シェイク容器１０の内容物を混合するのに加えて、有効である、格子１７の種々の形状の実施例を示す。
【００４６】
図２６は、ストロー１２が通り抜けるメッシュのスクリーン６６を示している。この実施形態では、メッシュスクリーン６６は、格子状に形成されている。しかしながら、他の実施形態では、メッシュスクリーン６６は、任意の他の形状又は構成に成形することができる。図９はまた、開いた位置にある蓋１６を示している。
【００４７】
図２７は、蓋体１６が開位置にあるシェイク容器１０の斜視図を示す。この図では、跳上げストロー５０が開位置に示されているだけでなく、蓋カバー６０が開位置で示されている。図２７はまた、第二開口部５６を示し、ここで一気飲みキャップ５８は第二開口部５６に挿入されていない。仮に、跳上げストロー５０が閉じられていた場合には、第二の開口５６から飲むことによってシェイク容器１０の内容物にアクセスすることができるであろう。仮に、蓋カバー６０が閉じられた位置にある場合には、ユーザは、跳上げストロー５０から飲むことによって、シェイク容器１０の内容物にアクセスすることができるであろう。何故なら、流体は内部のストローチャネル５４を移動することによってシェイク容器１０を出ることができるからである。
【００４８】
したがって、本明細書で論じたように、本発明の実施形態は、いくつかの実施形態では、ストロー、攪拌器及び蓋を含んでいるシェイク容器を包含する。
【００４９】
本発明は、その精神又は本質的な特徴から逸脱することなく他の特定の形態で実施することができる。説明した実施形態は単なる例示であり、限定的ではないものとして、すべての点で考慮されるべきである。
【図１】
2015500186.tif 000003
【図２】
2015500186.tif 000004
【図３】
2015500186.tif 000005
【図４】
2015500186.tif 000006
【図５】
2015500186.tif 000007
【図６】
2015500186.tif 000008
【図７】
2015500186.tif 000009
【図８】
2015500186.tif 000010
【図９Ａ】
2015500186.tif 000011
【図９Ｂ】
2015500186.tif 000012
【図１０】
2015500186.tif 000013
【図１１】
2015500186.tif 000014
【図１２】
2015500186.tif 000015
【図１３】
2015500186.tif 000016
【図１４】
2015500186.tif 000017
【図１５】
2015500186.tif 000018
【図１６】
2015500186.tif 000019
【図１７】
2015500186.tif 000020
【図１８Ａ】
2015500186.tif 000021
【図１８Ｂ】
2015500186.tif 000022
【図１８Ｃ】
2015500186.tif 000023
【図１９】
2015500186.tif 000024
【図２０】
2015500186.tif 000025
【図２１】
2015500186.tif 000026
【図２２】
2015500186.tif 000027
【図２３】
2015500186.tif 000028
【図２４】
2015500186.tif 000029
【図２５】
2015500186.tif 000030
【図２６】
2015500186.tif 000031
【図２７】
2015500186.tif 000032
【国際調査報告】
2015500186.tif 000033
2015500186.tif 000034